(57)【要約】【課題】設定された配列で所定数の画像を効率よく配置して表示手段に表示する。【解決手段】入力操作部によって画像の配列（行数および列数）を設定する。位置情報が付加された画像データが記憶部に記憶される。縦軸に緯度と横軸に経度からなるグラフに位置情報をプロットし散布図を作成する。行数および列数と位置情報に基づいて、位置情報を列方向で第１グループに、行方向で第２グループに分類する。この分類は、第１グループ及び第２グループからなる分類グループに１つの位置情報が属すまで繰り返し行われる。分類グループに属す位置情報と配列に基づいて、画像の配置を決定し、表示部に画像を表示させる。よって、設定された配置で所定数の画像を効率よく表示できる。【選択図】図８
2008046165.tif 000002
【特許請求の範囲】
【請求項１】
第１および第２特徴量で構成される特徴情報が付加された複数の被表示情報を前記第１および第２特徴量に基づいて予め設定された行数および列数で配列し、表示手段に表示する情報表示方法において、
前記第１特徴量に対応する行方向の第１軸と、前記第２特徴量に対応する列方向の第２軸とで構成されるグラフ上に前記特徴情報をプロットして散布図を作成するステップと、
前記行数および前記第２特徴量に基づいて、前記列方向で前記特徴情報を第１グループに分類する第１分類ステップと、
前記列数および前記第１特徴量に基づいて、前記行方向で前記特徴情報を第２グループに分類する第２分類ステップと、
前記第１グループおよび前記第２グループからなる分類グループに属する前記特徴情報が１つとなり、かつこの１つの前記特徴情報が属する前記分類グループの数が前記行数及び前記列数からなる行列数と同数となるように前記第１および第２分類ステップを繰り返し、
前記分類グループに属する前記特徴情報と前記配列とに基づいて、前記被表示情報の配置を決定し、前記表示手段に表示するステップとを備えたことを特徴とする情報表示方法。
【請求項２】
前記配列は正方形状または長方形状であり、
前記配列からはみ出す被表示情報がある場合、前記はみ出す被表示情報を配置するはみ出し位置を前記配列のどの辺に隣接させるかを決定するステップと、
前記はみ出し位置および前記特徴情報に基づいて、前記複数の被表示情報から前記はみ出す被表示情報を決定するステップとを備え、
前記はみ出す被表示情報を決定した後で、前記はみ出す被表示情報を除く複数の被表示情報の前記特徴情報に対して、前記第１分類ステップおよび前記第２分類ステップを繰り返して前記被表示情報の配置を決定し、前記複数の被表示情報を表示する際に、前記はみ出し位置に前記はみ出す被表示情報を表示することを特徴とする請求項１記載の情報表示方法。
【請求項３】
前記複数の被表示情報に対して優先度を示す優先度情報を設定するステップを備え、
前記被表示情報の配置を決定した後、前記優先度情報に基づいて優先度の高い被表示情報から順に表示することを特徴とする請求項１または２記載の情報表示方法。
【請求項４】
前記第１特徴量は、前記被表示情報に関連付けられた位置を示す緯度または経度の一方で、前記第２特徴量は前記緯度または前記経度の他方であり、前記特徴情報は前記緯度および前記経度からなる位置情報であることを特徴とする請求項１または３記載の情報表示方法。
【請求項５】
地図上で区画された領域を示す領域情報が記憶手段に複数記憶されており、
ユーザによって設定された領域に対応する前記領域情報を前記記憶手段から読み出すステップと、
前記領域情報および前記位置情報に基づいて、前記被表示情報が属する領域を判別するステップと、
前記位置情報に基づいて前記散布図を作成し、前記第１分類ステップおよび前記第２分類ステップを繰り返して前記位置情報を分類して前記被表示情報の配置を決定し、前記領域情報と前記配置に基づいて、前記表示手段に前記領域とともに前記画像を表示することを特徴とする請求項４記載の情報表示方法。
【請求項６】
複数の領域が判別された場合、前記領域情報に基づいて前記領域同士の隣接条件を判定するステップを備え、
前記領域は前記隣接条件に基づいて表示されることを特徴とする請求項５記載の情報表示方法。
【請求項７】
第１および第２特徴量で構成される特徴情報が付加された複数の被表示情報を前記第１および第２特徴量に基づいて、予め設定された行数および列数で前記被表示情報を配列し、表示手段に表示する情報表示装置において、
前記第１特徴量に対応する行方向の第１軸と、前記第２特徴量に対応する列方向の第２軸とで構成されるグラフ上に前記特徴情報をプロットして散布図を作成する散布図作成手段と、
前記行数および前記第２特徴量に基づいて、前記列方向で前記特徴情報を第１グループに分類する第１分類手段と、
前記列数および前記第１特徴量に基づいて、前記行方向で前記特徴情報を第２グループに分類する第２分類手段と、
前記第１及び第２分類手段が、前記第１グループおよび前記第２グループからなる分類グループに属する前記特徴情報が１つとなり、かつこの１つの前記特徴情報が属する前記分類グループの数と前記行数および前記列数からなる行列数とが同数になるように分類を繰り返した後、前記分類グループに属する前記特徴情報と前記配列とに基づいて、前記被表示情報の配置を決定し、前記表示手段に表示する表示制御手段とを備えたことを特徴とする情報表示装置。
【発明の詳細な説明】
【技術分野】
【０００１】
本発明は、設定された配列で所定数の被表示情報を効率よく配置し、表示手段に表示する情報表示方法、及び装置に関するものである。
【背景技術】
【０００２】
デジタルカメラ等の撮影装置が一般に普及している。このような撮影装置によって撮影された画像は画像データとして保存されるので、プリント処理を行わなくても画像をモニタ等の表示手段に表示することによって閲覧可能である。このように、表示手段に表示される被表示情報である画像データを大量に管理する場合には、例えば、画像データを画像データベースに登録しておき、画像データの検索及び表示を効率的に行えるようにすることが望ましい。さらに、近年では、ＧＰＳ（Global Positioning System）測位システムを利用して、撮影地点の位置情報を画像データに付加して記憶することが可能なデジタルカメラ（例えば、ＧＰＳ機能を有するカメラ付き携帯電話機）なども普及している。このようなデジタルカメラで撮影した画像データは、位置情報が付加された状態で画像データベースに登録される。
【０００３】
画像データの検索及び表示を効率的に行うために、各画像データの色や輝度などの特徴量に基づいて画像データ間の類似度合を判定し、隣り合う画像の類似度合が最大となるように画像を格子状に隣接させて表示するデータ表示方法が知られている（例えば、特許文献１参照）。
【特許文献１】特開２００４−６２３５６号公報
【発明の開示】
【発明が解決しようとする課題】
【０００４】
しかしながら、特許文献１では、複数の画像データを配列して表示する場合、画像データの一つ一つを配置する際に、その都度配置の更新が行われる。そのため、画像を表示させる処理が複雑になるという問題がある。また、類似度に基づいて複数の画像を配置しているので、複数の画像の最終的な表示配列の形状は不定形となる。そのため、予め決まった配列で複数の画像を配置させる場合には特許文献１の方法は不向きである。
【０００５】
本発明は、上記課題を解決するためになされたものであり、予め設定された配列で所定数の被表示情報を効率よく配置し、表示手段に表示する情報表示方法、および装置を提供することを目的とする。
【課題を解決するための手段】
【０００６】
上記目的を達成するために、本発明の情報表示方法は、第１および第２特徴量で構成される特徴情報が付加された複数の被表示情報を前記第１および第２特徴量に基づいて予め設定された行数および列数で配列し、表示手段に表示する情報表示方法において、前記第１特徴量に対応する行方向の第１軸と、前記第２特徴量に対応する列方向の第２軸とで構成されるグラフ上に前記特徴情報をプロットして散布図を作成するステップと、前記行数および前記第２特徴量に基づいて、前記列方向で前記特徴情報を第１グループに分類する第１分類ステップと、前記列数および前記第１特徴量に基づいて、前記行方向で前記特徴情報を第２グループに分類する第２分類ステップと、前記第１グループおよび前記第２グループからなる分類グループに属する前記特徴情報が１つとなり、かつこの１つの前記特徴情報が属する前記分類グループの数が前記行数及び前記列数からなる行列数と同数となるように前記第１および第２分類ステップを繰り返し、前記分類グループに属する前記特徴情報と前記配列とに基づいて、前記被表示情報の配置を決定し、前記表示手段に表示するステップとを備えたことを特徴とするものである。なお、被表示情報としては、モニタやスクリーン等の表示手段に表示可能な画像、数字、文字列等の各種情報である。
【０００７】
また、前記配列は正方形状または長方形状であり、前記配列からはみ出す被表示情報がある場合、前記はみ出す被表示情報を配置するはみ出し位置を前記配列のどの辺に隣接させるかを決定するステップと、前記はみ出し位置および前記特徴情報に基づいて、前記複数の被表示情報から前記はみ出す被表示情報を決定するステップとを備え、前記はみ出す被表示情報を決定した後で、前記はみ出す被表示情報を除く複数の被表示情報の前記特徴情報に対して、前記第１分類ステップおよび前記第２分類ステップを繰り返して前記被表示情報の配置を決定し、前記複数の被表示情報を表示する際に、前記はみ出し位置に前記はみ出す被表示情報を表示することが好ましい。
【０００８】
また、前記複数の被表示情報に対して優先度を示す優先度情報を設定するステップを備え、前記被表示情報の配置を決定した後、前記優先度情報に基づいて優先度の高い被表示情報から順に表示することが好ましい。
【０００９】
また、前記第１特徴量は、前記被表示情報に関連付けられた位置を示す緯度または経度の一方で、前記第２特徴量は前記緯度または前記経度の他方であり、前記特徴情報は前記緯度および前記経度からなる位置情報であってもよい。
【００１０】
また、地図上で区画された領域を示す領域情報が記憶手段に複数記憶されており、ユーザによって設定された領域に対応する前記領域情報を前記記憶手段から読み出すステップと、前記領域情報および前記位置情報に基づいて、前記被表示情報が属する領域を判別するステップと、前記位置情報に基づいて前記散布図を作成し、前記第１分類ステップおよび前記第２分類ステップを繰り返して前記位置情報を分類して前記被表示情報の配置を決定し、前記領域情報と前記配置に基づいて、前記表示手段に前記領域とともに前記画像を表示することが好ましい。
【００１１】
複数の領域が判別された場合に、前記領域情報に基づいて前記領域同士の隣接条件を判定するステップを備え、前記領域は前記隣接条件に基づいて表示されることが好ましい。
【００１２】
また、第１および第２特徴量で構成される特徴情報が付加された複数の被表示情報を前記第１および第２特徴量に基づいて、予め設定された行数および列数で前記被表示情報を配列し、表示手段に表示する情報表示装置において、前記第１特徴量に対応する行方向の第１軸と、前記第２特徴量に対応する列方向の第２軸とで構成されるグラフ上に前記特徴情報をプロットして散布図を作成する散布図作成手段と、前記行数および前記第２特徴量に基づいて、前記列方向で前記特徴情報を第１グループに分類する第１分類手段と、前記列数および前記第１特徴量に基づいて、前記行方向で前記特徴情報を第２グループに分類する第２分類手段と、第１及び第２分類手段が、前記第１グループおよび前記第２グループからなる分類グループに属する前記特徴情報が１つとなり、かつこの１つの前記特徴情報が属する前記分類グループの数と前記行数および前記列数からなる行列数とが同数になるように分類を繰り返した後、前記分類グループに属する前記特徴情報と前記配列とに基づいて、前記被表示情報の配置を決定し、前記表示手段に表示する表示制御手段とを備えたことを特徴とするものである。
【発明の効果】
【００１３】
本発明の情報表示方法によれば、第１特徴量に対応する行方向の第１軸と、第２特徴量に対応する列方向の第２軸とで構成されるグラフ上に特徴情報をプロットして散布図を作成するステップと、行数および第２特徴量に基づいて、列方向で特徴情報を第１グループに分類する第１分類ステップと、列数および第１特徴量に基づいて、行方向で特徴情報を第２グループに分類する第２分類ステップと、第１グループおよび第２グループからなる分類グループに属する特徴情報が１つとなり、かつこの１つの特徴情報が属する分類グループの数が行数及び列数からなる行列数と同数となるように第１および第２分類ステップを繰り返し、分類グループに属する特徴情報と配列とに基づいて、被表示情報の配置を決定し、表示手段に表示するステップとを備えたので、設定された配列に所定数の画像を効率よく配置して表示することができる。
【００１４】
また、配列は正方形状または長方形状であり、配列からはみ出す被表示情報がある場合、はみ出す被表示情報を配置するはみ出し位置を配列のどの辺に隣接させるかを決定するステップと、はみ出し位置および特徴情報に基づいて、複数の被表示情報からはみ出す被表示情報を決定するステップとを備え、はみ出す被表示情報を決定した後で、はみ出す被表示情報を除く複数の被表示情報の特徴情報に対して、第１分類ステップおよび第２分類ステップを繰り返して被表示情報の配置を決定し、複数の被表示情報を表示する際に、はみ出し位置にはみ出す被表示情報を表示するので、配列からはみ出す被表示情報が存在しても、設定された配列に所定数の画像を効率よく配置して表示することができる。
【００１５】
また、複数の被表示情報に対して優先度を示す優先度情報を設定するステップを備え、被表示情報の配置を決定した後、優先度情報に基づいて優先度の高い被表示情報から順に表示したので、重要な被表示情報から順番に確認することができる。
【００１６】
また、第１特徴量は、被表示情報に関連付けられた位置を示す緯度または経度の一方で、第２特徴量は緯度または経度の他方であり、特徴情報は緯度および経度からなる位置情報なので、表示された被表示情報同士の位置関係を知ることができる。
【００１７】
また、地図上で区画された領域を示す領域情報が記憶手段に複数記憶されており、ユーザによって設定された領域に対応する領域情報を記憶手段から読み出すステップと、領域情報および位置情報に基づいて、被表示情報が属する領域を判別するステップと、位置情報に基づいて散布図を作成し、第１分類ステップおよび第２分類ステップを繰り返して位置情報を分類して被表示情報の配置を決定し、領域情報と配置に基づいて、表示手段に領域とともに画像を表示するので、設定された配列で領域内に所定数の画像を効率よく配置して表示することができる。
【００１８】
また、複数の領域が判別された場合に、領域情報に基づいて領域同士の隣接条件を判定するステップを備え、領域は隣接条件に基づいて表示されるので、領域の隣接条件を満たしつつ、設定された配列で領域内に所定数の被表示情報を効率よく表示することができる。
【００１９】
また、本発明の情報表示装置では、第１特徴量に対応する行方向の第１軸と、第２特徴量に対応する列方向の第２軸とで構成されるグラフ上に特徴情報をプロットして散布図を作成する散布図作成手段と、行数および第２特徴量に基づいて、列方向で特徴情報を第１グループに分類する第１分類手段と、列数および第１特徴量に基づいて、行方向で特徴情報を第２グループに分類する第２分類手段と、第１及び第２分類手段が、第１グループおよび第２グループからなる分類グループに属する特徴情報が１つとなり、かつこの１つの特徴情報が属する分類グループの数と行数および列数からなる行列数とが同数になるように分類を繰り返した後、分類グループに属する特徴情報と配列とに基づいて、被表示情報の配置を決定し、表示手段に表示する表示制御手段とを備えたので、設定された配列に所定数の画像を効率よく配置し、表示手段に表示することができる。
【発明を実施するための最良の形態】
【００２０】
図１に示すように、情報表示装置である画像表示装置１０は、制御部１１、情報入力部１２、入力操作部１３、記憶部１４、表示部１６で構成されている。制御部１１は、画像表示装置１０内の各部と接続されており、これらの制御を行う。
【００２１】
情報入力部１２は、メモリカードリーダやＣＤ−ＲＯＭドライブなどである。例えば、情報入力部１２には、被表示情報として画像データが記録されたメモリカードが挿入される。この画像データは、ＧＰＳ（Global Positioning System）機能を有したカメラ付き携帯電話機などで撮影されたものであり、画像データには特徴情報として撮影した位置を示す位置情報が付加されている。情報入力部１２は、メモリカードから画像データ等の情報を読み出して記憶部１４に記憶させる。
【００２２】
入力操作部１３は、ユーザによって操作された時に操作信号を制御部１１に出力する。この入力操作部１３は、例えば、キーボードやマウス等である。ユーザは、入力操作部１３を操作して、制御部１１にメモリカードからの画像データの読み出しを実行させたり、画像を表示部１６に表示させるプログラムの実行を開始させたり、複数の画像を表示する際の配列（行数および列数）を入力する。なお、配列（行数および列数）としては、複数の画像が格子状に配置される長方形状、または正方形状が設定される。
【００２３】
また、記憶部１４は、例えば、フラッシュメモリや、ハードディスク等であり、画像表示装置１０の各部を制御するための各種プログラムや、表示部１６に画像を表示する際に実行させる画像表示プログラムが格納されている。さらに、記憶部１４は、情報入力部１２によってメモリカードから読み出された画像データを記憶する。これらの画像データは、例えば、ＧＰＳ（Global Positioning System）機能を有したカメラ付き携帯電話機で撮影された画像データであり、位置情報としてはＧＰＳから得られる経度（第１特徴量）および緯度（第２特徴量）からなる位置情報が付加されている。さらに、各画像データには、属性を示す属性情報も付加されている。属性情報としては、例えば、撮影日時、シャッター速度、輝度値などの撮影条件に関する情報である。
【００２４】
表示手段である表示部１６は、多数の画像を表示するＬＣＤや、ＣＲＴディスプレイ、スクリーン等である。
【００２５】
制御部１１は画像配置部２３を備えている。散布図作成手段である画像配置部２３は、図２に示すように、緯度を縦軸２５に、経度を横軸２６にとり、緯度と経度で形成されるグラフに画像データに付加された位置情報ａ〜ｐをプロットして散布図３０を作成する。
【００２６】
さらに、第１および第２分類手段でもある画像配置部２３は、図３に示すように、設定された配列の行数および列数と散布図３０とに基づいて、列方向で位置情報ａ〜ｐを複数の第１グループ３１（図中一点鎖線の範囲）に分類し、さらに行方向で位置情報ａ〜ｐを複数の第２グループ３２（図中二点鎖線の範囲）に分類する。この分類方法について詳しくは後述するが、画像配置部２３は第１グループ３１および第２グループ３２の分類を繰り返し、図６にも示すように、第１グループ３１および第２グループ３２からなる分類グループ３３（図中点線の範囲）に１つの位置情報が属し、かつこの１つの位置情報が属する分類グループ３３の数が行数および列数からなる行列数と同数となるように分類を行う。なお、図３に示す一点鎖線、二点鎖線、点線は、位置情報ａ〜ｐを第１グループ３１、第２グループ３２、分類グループ３３に分類したことを視覚的に表示するための分類線である。
【００２７】
位置情報ａ〜ｐがそれぞれ分類グループ３３に分類されると、画像配置部２３は配列（行数および列数）及び分類された位置情報に基づいて画像の配置を決定する。この決定された配置に基づいて、制御部１１は画像を表示部１６に表示させる。なお、図の煩雑化を避けるために、図５および図６には分類グループ３３を構成するための第１グループ３１および第２グループ３２を示す一点鎖線および二点鎖線の記載を省略する。
【００２８】
図２〜図７に示す散布図３０と図８のフローチャートを用いて、上記構成を用いた画像の配置を決定する際の位置情報の分類方法を説明する。例えば、ＧＰＳ機能を有したカメラ付き携帯電話機を用いて、千葉県で１６枚の画像を撮影した場合を例に挙げて説明する。ユーザは、入力操作部１３を操作して制御部１１に画像再生プログラムを実行させる。これにより、表示部１６には撮影場所と画像の表示配列の設定画面が表示される（図示せず）。ユーザは、入力操作部１３を操作して撮影場所として「千葉県」と、画像の配列として（行数×列数＝４×４）を入力する。なお、設定する配列としては、例えば、（行数×列数＝４×４）の正方形状の他に（行数×列数＝２×８）の長方形状などでもよい。また、配列は、ユーザが行数および列数の数値を入力する方法でも、予め設定されている選択肢の中から選ぶ方法でもよい。
【００２９】
撮影場所および配列の設定が完了すると、カメラ付き携帯電話機のメモリカードが情報入力部１２に挿入される。これにより、情報入力部１２はメモリカードから１６個の画像データを読み出し、記憶部１４に記憶させる。
【００３０】
そして、制御部１１は、画像データに付加されている位置情報を画像配置部２３に出力する。画像配置部２３は、縦軸２５に緯度、横軸２６に経度からなるグラフ上に１６個の位置情報ａ〜ｐをプロットして散布図３０を作成する（図２参照）。
【００３１】
そして、画像配置部２３は、設定された配列（行数×列数＝４×４）に基づいて、位置情報ａ〜ｐを複数の第１グループ３１および第２グループ３２に分類する。この分類方法は、図３に示すように、先ず、分類する位置情報ａ〜ｐの数（１６個）と行数（４行）とから求められる１を除く最小の公約数（２）で、分類する位置情報ａ〜ｐの数（１６個）を割った値（８）となるように列方向で位置情報ａ〜ｐを２つの第１グループ３１に分類する。これにより、図中一点鎖線の範囲で示すように、位置情報ａ〜ｈが属する第１グループ３１と、位置情報ｉ〜ｐが属する第１グループ３１とに分類される。
【００３２】
次に、位置情報ａ〜ｈが属する第１グループ３１を第２グループ３２に分類する。分類する位置情報ａ〜ｈの数（８個）と列数（４列）とから求められる１を除く最小の公約数（２）で、分類する位置情報ａ〜ｈの数（８個）を割った値（４）となるように、行方向で位置情報ａ〜ｈを２つの第２グループ３２に分類する。これにより、図中二点鎖線の範囲で示すように、位置情報ａ〜ｄが属する第２グループ３２と、位置情報ｅ〜ｈが属する第２グループ３２とに分類される。この時、図中点線の範囲で示すように、位置情報ａ〜ｄが属する分類グループ３３と、位置情報ｅ〜ｈが属する分類グループ３３とに分類されている。しかし、分類グループに属する位置情報が１つではないので、繰り返し第１部ループ３１および第２クループ３２への分類が行われる。
【００３３】
図４に示すように、第２グループ３２に属する位置情報ａ〜ｄが第１グループ３１に分類される。この時も、分類される位置情報ａ〜ｄの数（４個）と行数（４）とから求められる１を除く最小の公約数（２）で、位置情報ａ〜ｄの数（４個）を割った値（２）となるように列方向で位置情報ａ〜ｄが分類される。これにより、位置情報ａ、ｂが属する第１グループ３１と、位置情報ｃ、ｄが属する第１グループ３１とに分類される。さらに、位置情報ｅ〜ｈが属する第２グループ３２も上記と同様に、位置情報ｅ、ｆが属する第１グループ３１、位置情報ｇ、ｈが属する第１グループ３１に分類される。
【００３４】
上記のように、第１グループ３１と第２グループ３２への分類を繰り返し、図５に示すように、第１グループ３１と第２グループ３２からなる分類グループ３３に位置情報ａ〜ｈが１つずつ分類される。このように、散布図３０の下方にプロットされた位置情報ｉ〜ｐも第１グループ３１と第２グループ３２への分類が繰り返し行われる。この時、１つの位置情報が属する分類グループ３３の数と行数および列数からなる行列数の数が同数となるように分類が行われる。つまり、本実施形態では、分類グループ３３は１６個となる。
【００３５】
プロットされた位置情報ａ〜ｐが全て分類グループ３３に分類されると、画像配置部２３は、分類グループ３３に属する位置情報ａ〜ｐと配列（行数×列数＝４×４）に基づいて、画像Ａ〜Ｐの配置を決定する。これにより、表示制御手段である制御部１１は図７に示すように、画像Ａ〜Ｐを決定された配列で表示部１６に表示する。上記のような情報表示方法を用いることによって、設定された配列に所定数の画像を効率よく、かつ迅速に表示することができる。なお、画像Ａ〜Ｐを表示した際に、どこで撮影された画像であるかを知らせるために、配列とともに入力された撮影位置「千葉県」を文字列で表示部１６に表示させることが好ましい。
【００３６】
なお、本実施形態では位置情報ａ〜ｐの分類を第１グループ３１と第２グループ３２とで交互に行ったが、これに限らず、第１グループ３１への分類を行った後に、第２グループ３２への分類を行ってもよい。また、第２グループ３２への分類を行った後に第１グループ３１への分類を行ってもよい。また、第１グループ３１及び第２グループ３２への分類方法は上記に示した方法に限るものではない。
【００３７】
また、千葉県で撮影した画像データが１７個であった場合、上記のように正方形状または長方形状に設定する配列から１個の画像がはみ出してしまう。この場合の画像の表示方法を図９〜１１を用いて説明する。
【００３８】
画像配置部２３に配列が（行数×列数＝４×４）および１７個の画像データが入力されると、画像配置部２３は配列（行数×列数＝４×４）に対して１個の画像データがはみ出すと判定する。そして、制御部１１は表示部１６にはみ出す画像があることを表示する。これにより、ユーザは画像のはみ出し位置の設定を行う。このはみ出し位置の設定は、ユーザが入力操作部１３を操作して、正方形状（行数×列数＝４×４）の配列のどの辺にはみ出す画像を隣接させて配置するかを決定する。なお、本実施形態では、はみ出す画像を配列の右側の辺に隣接させる場合を例に説明する。
【００３９】
画像配置部２３は、１７個の位置情報ａ〜ｑをグラフ上にプロットして図９に示す散布図３０を作成する。そして、画像配置部２３は、設定されたはみ出し位置に基づいて、散布図３０の一番右側に配置されている位置情報ｑを判定し、位置情報ｑが付加されている画像データをはみ出し画像に設定する。
【００４０】
そして、画像配置部２３は位置情報ｑを除いた位置情報ａ〜ｐに対して上記の分類方法を用いて画像Ａ〜Ｐの配置を決定する。制御部１１は、画像配置部２３で決定された配置に基づいて、図１０に示すように画像Ａ〜Ｐを４×４の正方形状に配置し、さらに、はみ出し画像と判定された画像Ｑをはみ出し位置である画像Ｆの右側に隣接させて表示する。なお、本実施形態では、配列からはみ出す画像が１個の場合を説明したが、はみ出す画像が複数個の場合も同様である。また、上記実施形態では、はみ出し位置を配列の右側に設定したが、はみ出し位置を配列の上下や左側に設定しても同様である。
【００４１】
また、表示部１６に表示させる複数の画像のうち、重要な画像を優先的に表示させるようにしてもよい。例えば、表示する画像データ量が大きい場合、複数の画像を完全に配列表示するまでに時間がかかる。そのため、予め画像データに優先度を設定し、この優先度に基づいて優先度の高い画像から順に表示部１６に表示させてもよい。
【００４２】
この場合を図１２のフローチャートを用いて説明する。入力操作部１３の操作によって、ユーザは記憶部１４に記憶された各画像データの属性情報に、例えば、「最優先」、「優先」、「普通」の３種類の優先度情報を付加する。そして、撮影位置および配列が設定されると、記憶部１４から、画像データに付加された位置情報ａ〜ｐが画像配置部２３に読み出される。そして、画像配置部２３は、上記の分類方法を用いて画像データを複数の分類グループ３３に分類する。制御部１１は、分類グループ３３に属する位置情報ａ〜ｐと配列とを対応させて画像Ａ〜Ｐの配置を決定する。
【００４３】
そして、画像Ａ〜Ｐの配置が決定されると、制御部１１は各画像データの属性情報に付加された優先度情報を読み出し、最優先の画像から順番に表示を行う。これにより、複数の画像を全て表示させる際に時間がかかっても、優先度が高い画像を早く確認することができる。
【００４４】
なお、上記実施形態では、各画像データの属性情報にユーザが優先度情報を付加したが、これに限らず、例えば、特定の撮影位置（例えば、都道府県や公園などのランドマーク）で撮影された画像データ群に対して自動的に優先度情報を付加してもよい。また、ランドマーク毎に画像データをグループに分け、撮影枚数の多いグループの画像データに優先度の高い優先度情報を付加してもよい。
【００４５】
また、画像データベースに登録された各画像データに対して優先度情報を入力操作部１３によって付加させたが、これに限らず、デジタルカメラに優先度情報入力部を設け、画像データをメモリカードに記録する際に、画像データに優先度情報を付加させてもよい。
【００４６】
また、記録部１４に、撮影位置として地図上で区画された領域を示す国、都道府県、市町村、公園や建物などのランドマークの領域情報を記憶させ、画像データに付加された位置情報と領域情報とを判別し、位置情報が属すると判別された領域とともに、この領域に画像を配置して表示してもよい。この場合、図１３に示すように、画像表示装置１０には画像データに付加された位置情報が領域に含まれるか否かを判別する領域判別部３４を設ける。なお、上記実施形態と同一の構成部材には同じ符号を付して、その説明は省略する。また、領域とともに、所定数の画像を領域内に配置して表示する流れを図１４のフローチャートを用いて説明する。
【００４７】
例えば、ユーザは「東京都、埼玉県、千葉県」で撮影を行い、東京都で６個、埼玉県で４個、千葉県で３個からなる合計１６個の画像データを取得した場合を例に説明する。ユーザは、情報入力部１２に領域情報が記録されたメモリカードを挿入し、記憶部１４に領域情報を記憶させる。この領域情報としては、地図上で区画された領域（国、都道府県、市町村、建物や公園などのランドマーク）の位置を示す緯度および経度である。また、領域の緯度および経度は領域の名称と対応付けられている。
【００４８】
そして、ユーザは入力操作部１３で配列（行数×列数＝４×４）を設定する。そして、ユーザは、情報入力部１２に画像データが記録されたメモリカードを挿入する。情報入力部１２は、１６個の画像データを読み出し、記憶部１４に記憶させる。
【００４９】
制御部１１は、記録部１４から領域情報と位置情報ａ〜ｐを領域判別部３４に入力するとともに、位置情報ａ〜ｐを画像配置部２３に入力する。領域判別部３４は、領域情報と位置情報ａ〜ｐに基づいて、位置情報ａ〜ｐが含まれる領域（東京都、埼玉県、千葉県）を判別する。さらに、領域判別部３４は、位置情報ａ〜ｐが属すると判別された領域「東京都、埼玉県、千葉県」の領域情報に基づいて、領域同士の隣接条件を判定する。
【００５０】
画像配置部２３は、入力された配列（行数×列数＝４×４）と位置情報ａ〜ｐに基づいて、上記実施形態と同様に位置情報ａ〜ｐをグラフ上にプロットした散布図３０（図６参照）を作成し、配列に基づいて位置情報ａ〜ｐを第１グループ３１および第２グループ３２に繰り返し分類し、画像Ａ〜Ｐの配置を決定する。
【００５１】
制御部１１は、領域判別部３４による判定された領域情報と、領域同士の隣接条件と、画像配置部２３によって決定された画像Ａ〜Ｐの配置に基づいて、図１４に示すように、表示部１６に１都２県の領域３６〜３８を表示するとともに、１都２県の領域３６〜３８内に画像Ａ〜Ｐを配置して表示する。この時、画像Ａ〜Ｐは配列（行数×列数＝４×４）通りに表示されて、かつ隣接条件を満たした領域３６〜３８内に表示される。これにより、表示部１６に表示される１都２県の領域３６〜３８は、隣接条件を変更せずに表示されているので、１都２県はその相対的な位置関係を変更されずに表示されている。なお、図に示す太線は、県境を示す境界線３５である。
【００５２】
また、１都２県の領域３６〜３８には、その名称（東京都、埼玉県、千葉県）を示す文字列を表示してもよい。このように、撮影位置に対応する１都２県の領域３６〜３８に画像Ａ〜Ｐを配置して表示させたので、撮影位置が複数設定されても画像Ａ〜Ｐがどこで撮影されたかが確認できる。
【００５３】
なお、本実施形態では、被表示情報として画像データを用いて説明したが、被表示情報としてはこれに限らず、表示部１６に表示可能な画像、文字列、数値などの情報であればよい。また、特徴情報である位置情報として、緯度および経度を用いて説明したが、位置情報としては、位置を示す名称、住所、郵便番号などでもよい。
【図面の簡単な説明】
【００５４】
【図１】本発明の画像表示装置の電気的構成を示すブロック図である。
【図２】位置情報をプロットした散布図である。
【図３】位置情報を第１及び第２グループに分類する方法を示す説明図である。
【図４】位置情報を第１および第２グループに分類する方法を示す説明図である。
【図５】位置情報を第１および第２グループに分類する方法を示す説明図である。
【図６】分類グループに属する位置情報を示す説明図である。
【図７】表示部に配列表示された画像を示す説明図である。
【図８】画像の配置を決定する流れを示すフローチャートである。
【図９】散布図に基づいてはみ出す画像を決定する説明図である。
【図１０】はみ出し画像がある場合の配列表示を示す説明図である。
【図１１】はみ出し画像がある場合の配置を決定する流れを示すフローチャートである。
【図１２】優先度に基づいて画像を表示させる流れを示すフローチャートである。
【図１３】領域判別部を備えた画像表示装置の電気的構成を示すブロック図である。
【図１４】領域とともに領域内に画像を表示する流れを示すフローチャートである。
【図１５】設定された領域に画像を配列表示した表示部を示す説明図である。
【符号の説明】
【００５５】
１０  画像表示装置
１１  制御部
１２  情報入力部
１３  入力操作部
１４  記憶部
１６  表示部
２３  画像配置部
３０  散布図
３４  領域判別部
ａ〜ｐ  位置情報
Ａ〜Ｐ  画像
【図１】
2008046165.tif 000003
【図２】
2008046165.tif 000004
【図３】
2008046165.tif 000005
【図４】
2008046165.tif 000006
【図５】
2008046165.tif 000007
【図６】
2008046165.tif 000008
【図７】
2008046165.tif 000009
【図８】
2008046165.tif 000010
【図９】
2008046165.tif 000011
【図１０】
2008046165.tif 000012
【図１１】
2008046165.tif 000013
【図１２】
2008046165.tif 000014
【図１３】
2008046165.tif 000015
【図１４】
2008046165.tif 000016
【図１５】
2008046165.tif 000017